【事件の表示】
　特許第３４５８８５８号「撮像装置」の請求項１ないし３に係る特許に対する特許異議の申立てについて、次のとおり決定する。
【結　論】
　訂正を認める。
　特許第３４５８８５８号の請求項１ないし２に係る特許を維持する。
【理　由】
１．手続の経緯
　特許第３４５８８５８号の請求項１ないし３に係る発明は、昭和６２年５月８日に実用新案登録出願され、平成１１年６月２９日に分割され、平成１３年２月４日に特許出願に変更され、平成１４年１２月２日に分割され、平成１５年８月８日にその特許権の設定登録がなされ、その後、平成１５年１２月１９日に有限会社オフィスアテナ（代表者藁科ひさ子）（以下、「本件申立人」という）より特許異議の申立てがなされ、平成１７年５月１１日付けで取消しの理由が通知され、その指定期間内である平成１７年７月１２日に訂正請求がなされたものである。
　
２．訂正の適否についての判断
（１）訂正の内容
ア．訂正事項ａ
　特許請求の範囲を、「【請求項１】　レンズを備える撮像部と、
　前記撮像部によって撮像された画像を表示する表示手段を備える表示部とを有する撮像装置
であって
　前記撮像部と前記表示部とは、前記表示手段の前方向又は後方向の被写体を撮影することができるように、表示部の厚み方向のほぼ中央部に位置する一軸を中心に回転可能に構成され
る撮像装置において、
　
前記表示部は、上部に略コ字状の切欠部を有し、前記撮像部を水平支軸である前記一軸を中心に２箇所で回動自在に前記切欠部に保持される構成とされると
、
　前記撮像部には、前記撮像部を回動操作するための回動ツマミを有している
【請求項２】　レンズを備える撮像部と、
　前記撮像部によって撮像された画像を表示する表示手段を備える表示部とを有する撮像装置
であって
　前記撮像部と前記表示部とは、前記表示手段の前方向又は後方向の被写体を撮影することができるように、表示部の厚み方向のほぼ中央部に位置する一軸を中心に回転可能に構成され
る撮像装置において
　前記撮像部と前記表示部との回転状態に応じて、前記表示手段の表示方向を切換える切換手段
を有し、
　
前記表示部は、上部に略コ字状の切欠部を有し、前記撮像部を水平支軸である前記一軸を中心に２箇所で回動自在に前記切欠部に保持される構成とされると
、
　前記撮像部には、前記撮像部を回動操作するための回動ツマミを有している
イ．訂正事項ｂ
　上記訂正事項ａと対応するように発明の詳細な説明中「課題を解決するための手段」「発明の効果」の項を訂正する。
　
（２）訂正の目的の適否、新規事項の有無及び拡張・変更の存否
　上記訂正事項ａは、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第３項において準用する平成６年法律第１１６号による改正前の第１２６条第１項ただし書、第２項及び第３項の規定に適合するので、当該訂正を認める。
　
３．特許異議申立てについての判断
（１）申立ての理由の概要
　本件申立人は、請求項１ないし３に係る発明は、甲第１号証（実願昭５９−２９５５８号（実開昭６０−１４２５６７号）のマイクロフィルム）、甲第２号証（特開昭６２−３５３２９号公報）、甲第３号証（実願昭４９−８６８２５号（実開昭５１−１５８２０号）のマイクロフィルム）、甲第２号証（特開昭６１−２５６８６９号公報）をもとに容易に発明をすることができたものであり、特許法第２９条第２項の規定により、特許を受けることができないものであるから、特許を取り消すべきと主張している。
　
（２）本件の請求項に係る発明
　上記２．で示したように上記訂正が認められるから、本件の請求項３に係る発明は削除され、本件の請求項１ないし２に係る発明（以下、「本件発明１」「本件発明２」という）は、上記訂正請求に係る訂正明細書の特許請求の範囲の請求項１ないし２に記載された事項により特定されるとおりのもの（上記２（１）ア参照）である。
　
（３）刊行物等
　特許異議申立人が証拠として提示した刊行物には、それぞれ、以下の点が記載されている。
（ア）刊行物１：実願昭５９−２９５５８号（実開昭６０−１４２５６７号）のマイクロフィルム（甲第１号証）
　これには、テレビカメラ部２とケース本体１とを有するポケットテレビであって、テレビカメラ部２とケース本体１とが、ケース本体の厚み方向の中央部に位置する係合爪１５ａ、１５ｂを中心に回転される点が記載されている。
（イ）刊行物２：特開昭６２−３５３２９号公報（甲第２号証）
　これには、カメラ本体１と電子ビューファインダー４とが、表示手段の前方向又は後方向の被写体を撮影することができるように、ターンテーブル３７の回転軸を中心に回転される点及びスイッチを有する点が記載されている。
（ウ）刊行物３：実願昭４９−８６８２５号（実開昭５１−１５８２０号）のマイクロフィルム（甲第３号証）
　これには、テレビカメラ本体とビューファインダーとを有するポータブルテレビカメラ１０であって、テレビカメラ本体とビューファインダーとが、表示手段の前方向又は後方向の被写体を撮影することができるように、軸支部１３を中心に回転される点及び外部切換スイッチを有する点が記載されている。
（エ）刊行物４：特開昭６１−２５６８６９号公報（甲第４号証）
　これには、ビデオカメラ本体１０と電子ビューファインダー１４とを有するビデオカメラであって、連結体１６（ビデオカメラ本体１０）と電子ビューファインダー１４とが、表示手段の前方向又は後方向の被写体を撮影することができるように、上下方向に回動調節可能に取り付けられた点と、スイッチ手段及び手動で切り換える点とが記載されている。
　
（４）対比・判断
　本件発明１ないし２と上記刊行物１ないし４に記載の発明とを対比すると、これら刊行物に記載の発明には、本件発明１ないし２を特定する事項である、「表示部は、上部に略コ字状の切欠部を有し、撮像部を水平支軸である前記一軸を中心に２箇所で回動自在に前記切欠部に保持される構成とされると共に、前記撮像部には、前記撮像部を回動操作するための回動ツマミを有している」旨の事項を備えておらず、当該事項により本件発明１ないし２は、「液晶表示部の画像を見やすい角度から見ることと、撮影方向を所望のものとすることとを両立させることができ、撮像部と表示部とを回転させても、回転角度によって装置全体の大きさが変化することがなく、回動時に撮像部のレンズに手を触れることを少なくできる」という顕著な効果を奏するのであり、本件発明１ないし２が上記刊行物１ないし４に記載のものから容易に発明をすることができたものとはいえない。
　
（５）むすび
　以上のとおりであるから、特許異議申立ての理由及び証拠によっては、本件発明１ないし２についての特許を取り消すことができない。
　また、他に本件発明１ないし２についての特許を取り消すべき理由を発見しない。
　したがって、本件発明１ないし２についての特許は拒絶の査定をしなければならない特許出願に対してされたものと認めない。
　よって、結論のとおり決定する。
【異議決定日】
平成１７年１０月１３日（２００５．１０．１３）
【訂正の要旨】
審決（決定）の【理由】欄参照。
（５４）【発明の名称】
撮像装置
（５７）【特許請求の範囲】
　【請求項１】レンズを備える撮像部と、
　前記撮像部によって撮像された画像を表示する表示手段を備える表示部とを有する撮像装置
であって
　前記撮像部と前記表示部とは、前記表示手段の前方向又は後方向の被写体を撮影することができるように、表示部の厚み方向のほぼ中央部に位置する一軸を中心に回転可能に構成され
る撮像装置において、
　
前記表示部は、上部に略コ字状の切欠部を有し、前記撮像部を水平支軸である前記一軸を中心に２箇所で回動自在に前記切欠部に保持される構成とされると
、
　前記撮像部には、前記撮像部を回動操作するための回動ツマミを有している
　【請求項２】レンズを備える撮像部と、
　前記撮像部によって撮像された画像を表示する表示手段を備える表示部とを有する撮像装置
であって
　前記撮像部と前記表示部とは、前記表示手段の前方向又は後方向の被写体を撮影することができるように、表示部の厚み方向のほぼ中央部に位置する一軸を中心に回転可能に構成され
る撮像装置において
　前記撮像部と前記表示部との回転状態に応じて、前記表示手段の表示方向を切換える切換手段
を有し、
　
前記表示部は、上部に略コ字状の切欠部を有し、前記撮像部を水平支軸である前記一軸を中心に２箇所で回動自在に前記切欠部に保持される構成とされると
、
　前記撮像部には、前記撮像部を回動操作するための回動ツマミを有している
【発明の詳細な説明】
　【０００１】
　【発明の属する技術分野】
　この発明は、カメラと、モニタ用の液晶表示素子とを一体化した撮像装置に関する。
　【０００２】
　【従来の技術】
　従来のカメラ一体型表示装置、例えば液晶ＴＶ付ムービーは、ＶＴＲで録画した内容をその場ですぐに再生しモニタ用の液晶テレビジョン（以下、モニタＴＶ）にて観察したり、或いはカメラからの映像をモニタＴＶに直接表示させて観察することができるものである。
　【０００３】
　このため、液晶ＴＶ付ムービーの用途は広く、例えば各種スポーツにおけるフォームの研究、着付け・化粧のチェック等にも用いることが可能である。このように着付け・化粧のチェックに、液晶ＴＶ付ムービーを用いる利点は、画面が縮小されているため、鏡でそのまま見るのと異なり、より客観的に自分自身を視認できることにある。
　【０００４】
　【発明が解決しようとする課題】
　しかしながら、液晶表示素子は、その画像の見やすい角度があり、若し、カメラの撮像方向が固定されていると、撮像方向を所望のものとし、且つ液晶表示素子に画像を見やすいものとすることが困難であった。
　【０００５】
　また、各種スポーツにおけるフォームの研究、着付け・化粧のチェック等のために、自分自身を撮影する時には、カメラ本体を手でもって撮影するよりも、机の上等にカメラを置いて撮影することが望ましい。机の上にカメラを置いて自分自身の顔を撮影する場合、机の面に近いような低い位置から顔を撮影すると、下膨れの顔が撮影されたり、鼻の穴が強調された画像となる問題が生じる。さらに、撮像部と表示部とを回転可能に構成した場合、回転位置によって全体の大きさが変わると、回転操作時に撮像部または表示部を周囲の物に当てて、ケースに傷が付いたり、ケースが変形するおそれがあった。
　【０００６】
　従って、この発明の目的は、所望の撮影方向とでき、且つ液晶表示素子の画像を見やすいものとでき、また、回転位置によって全体の大きさが変わらない撮像装置を提供することにある。
　【０００７】
　【課題を解決するための手段】
　この発明は、レンズを備える撮像部と、
　撮像部によって撮像された画像を表示する表示手段を備える表示部とを有する撮像装置
であって
　撮像部と表示部とは、表示手段の前方向又は後方向の被写体を撮影することができるように、表示部の厚み方向のほぼ中央部に位置する一軸を中心に回転可能に構成され
る撮像装置において、
　
表示部は、上部に略コ字状の切欠部を有し、撮像部を水平支軸である一軸を中心に２箇所で回動自在に切欠部に保持される構成とされると
、
　撮像部には、撮像部を回動操作するための回動ツマミを有している
　【０００８】
　カメラ部のレンズ部が回転できるので、液晶表示部の画像を見やすい角度から見ることと、撮影方向を所望のものとすることとを両立させることができる。また、撮像部と表示部とが表示部の厚み方向のほぼ中央部に位置する一軸を中心に回転可能とされているので、回転位置によって全体の大きさが変わることを防止できる。
さらに、回動ツマミを設けているので、回動時に撮像部のレンズに手を触れるそれを少なくできる。
　【０００９】
　【発明の実施の形態】
　以下、この発明の一実施例について図面を参照して説明する。この実施例は、図１に示すように、ＶＴＲと液晶表示体（以下、ＬＣＤ）を備えた表示装置に対し、この発明を適用したものである。
　【００１０】
　このカメラ一体型表示装置は、カメラ部１と、画像表示素子としてのＬＣＤ２と、画像表示回路３と、ＶＴＲ部４と、キャビネットとしての本体５とから主に構成される。
　【００１１】
　カメラ部１は、被写体を捉えてカラー画像信号Ｓ１に変換し画像表示回路３に出力してＬＣＤ２により被写体を画像Ｐとして表示させ、或いは、カラー画像信号Ｓ１を音声信号と共にＶＴＲ部４に出力して図示せぬＶＴＲテープに記録させるものである。このカメラ部１は、上端部の水平支軸６に取付けられて水平支軸６の円周方向（矢示Ｃ方向）に回動自在とされレンズ収納部７を有するカメラ８と、このカメラ８と同軸状態で水平支軸６に取付けられ、カメラ８を円周方向（矢示Ｃ方向）に回動操作するための回動ツマミ９とからなる。
　【００１２】
　ＬＣＤ２は、画素Ｅを駆動させることで任意の画像Ｐを表示する。ＬＣＤ２は本体５の手前側の側面１０に配されており、その内部には、ｍ行の行電極Ｘとｎ列の列電極Ｙを有する。そして、画像Ｐの表示に当たっては、ｉ行目の行電極Ｘｉと、ｊ列目の列電極Ｙｊに画像表示回路３より供給される駆動信号ＳＭを印加して、その交点の画素Ｅｉｊを駆動させて行う。
　【００１３】
　画像表示回路３（図２参照）は、カメラ部１、ＶＴＲ部４或いは図示せぬＴＶチューナ部等より供給されるカラー映像信号Ｓ１を基に、駆動信号ＳＭと三原色信号（後述）を形成してＬＣＤ２に印加して画像Ｐを表示せしめるものである。この画像表示回路３は、信号処理回路１１と、同期制御回路１２と、ＬＣＤ駆動制御回路１３と、列電極選択駆動回路１４と、行電極選択駆動回路１５とから構成されている。信号処理回路１１は、端子１６から入力されるカメラ部１、ＶＴＲ部４、或いは図示せぬＴＶチューナ等からのカラー映像信号Ｓ１のＹＣ分離、色復調、マトリックス演算等の処理を行うもので、同期制御回路１２に対してはカラー映像信号Ｓ１に含まれる水平同期信号ＳＨ、垂直同期信号ＳＶを供給し、ＬＣＤ駆動制御回路１３に対してはカラー映像信号Ｓ１を赤（Ｒ），青（Ｂ），緑（Ｇ）の各原色信号に分離して供給する。
　【００１４】
　同期制御回路１２は、信号処理回路１１からの水平・垂直同期信号ＳＨ，ＳＶを基にＬＣＤ駆動制御回路１３に対してタイミング信号ＳＴを供給し、列及び行電極選択駆動回路１４，１５の夫々に対して水平・垂直同期信号ＳＨ，ＳＶに同期したクロック信号ＣＬＨ，ＣＬＶを供給する。
　【００１５】
　ＬＣＤ駆動制御回路１３は、原色信号Ｒ・Ｇ・Ｂより、その反転信号＊Ｒ・＊Ｇ・＊Ｂ（＊は反転を意味する）を形成すると共に、これら原色信号Ｒ・Ｇ・Ｂと＊Ｒ・＊Ｇ・＊Ｂとから形成される電圧Ｖ１，Ｖ２，Ｖ３を列電極選択駆動回路１４に印加している。
　【００１６】
　列電極選択駆動回路１４には、図３に示すように、同期制御回路１２からクロック信号ＣＬＨを受け、クロック信号ＣＬＨを計数するカウンタ１７が設けられている。このカウンタ１７は、加算方向（ｕｐ）又は減算方向（ｄｏｗｎ）の計数動作の可能な所謂ｕｐ／ｄｏｗｎカウンタである。
　【００１７】
　このカウンタ１７の計数方向を切り換えるため、カウンタ切換スイッチ１８が設けられている。このカウンタ切換スイッチ１８は、端子１９，２０，２１によって構成され、一方の端子２０には、Ｈレベルの電圧が加えられ、他方の端子２１はアースされてＬレベルとされている。このカウンタ１７は、端子１９と２０を接続する（即ち、Ｈレベル）ことでｕｐカウンタとなし、又端子１９と２１を接続する（即ち、Ｌレベル）ことでｄｏｗｎカウンタとなす。カウンタ１７より出力される２値信号がＢＣＤデコーダ２２に供給され、ＢＣＤデコーダ２２により列電極選択信号Ｓｒが形成される。更に列電極選択駆動回路１４には、列電極選択信号Ｓｒに基づいて対応する列電極Ｙを選択し列電極Ｙに駆動信号ＳＭを印加する駆動回路２３が設けられている。
　【００１８】
　行電極選択駆動回路１５は、列電極選択駆動回路１４と同様の構成であり、同期制御回路１２からのクロック信号ＣＬＶを計数するカウンタ２４と、カウンタ２４より出力される２値信号を基に行電極選択信号Ｓｃを出力するＢＣＤデコーダ２５と、カウンタ切換スイッチ２６と、駆動装置２７とからなる。上記カウンタ切換スイッチ２６は、カメラ８の回動と連動せしめられている。即ちカメラ８が前方向（矢示Ｆ方向）を向いている時には、端子２８，２９が接続されることでカウンタ２４をｕｐカウンタとし、又、カメラ８が後方向（矢示Ｂ方向）を向いている時には、端子２８，３０が接続されることでカウンタ２４をｄｏｗｎカウンタとする。尚、このカウンタ切換スイッチ２６の接続状態は、操作ボタン３１の操作により解除することもでき、このためカウンタ２４をｕｐカウンタ、ｄｏｗｎカウンタのいずれに設定するかが自在とされる。
　【００１９】
　ＶＴＲ部４は、本体５の下部に形成されているもので、カメラ部１、或いは図示せぬＴＶチューナより供給されるカラー映像信号Ｓ１を、音声信号と共に図示せぬＶＴＲテープに記録させるものである。また再生時には、ＶＴＲ部４より画像表示回路３にカラー映像信号Ｓ１を出力してＬＣＤ２に画像Ｐを表示させるものである。
　【００２０】
　次に、カメラ８を用いて、このカメラ一体型表示装置のＬＣＤ２に、通常の画像Ｐ及び鏡面像ＰＭを表示せしめる場合について説明する。
　【００２１】
　（１）通常の画像Ｐを表示せしめる場合
　図４に示す如く、カメラ８を被写体（図示せず）に向けると共に、カウンタ切換スイッチ１８の端子１９，２０を接続してカウンタ１７にＨレベルの電圧を印加してカウンタ１７をｕｐカウンタとする。一方、カウンタ切換スイッチ２６は、カメラ８が前方向（矢示Ｆ方向）を向いているので端子２８，２９が接続された状態となり、カウンタ２４はｕｐカウンタとされる。
　【００２２】
　ｕｐカウンタとされた行電極選択駆動回路１５のカウンタ２４に、クロック信号ＣＬＶが加えられると、クロック信号ＣＬＶをカウントすると共にこの計数値を２値信号でＢＣＤデコーダ２５に供給する。ＢＣＤデコーダ２５は、最初の２値信号から行電極選択信号Ｓｃを駆動回路２７に加える。駆動回路２７は、行電極選択信号Ｓｃにより第１行目の行電極Ｘ１を選択して駆動信号ＳＭを印加する。
　【００２３】
　ｕｐカウンタとされた列電極選択駆動回路１４のカウンタ１７にクロック信号ＣＬＨが加えられると、クロック信号ＣＬＨをカウントすると共にこの計数値を２値信号でＢＣＤデコーダ２２に供給する。ＢＣＤデコーダ２２は、最初の２値信号から列電極選択信号Ｓｒを駆動回路２３に加える。駆動回路２３は、列電極選択信号Ｓｒにより第１列目の列電極Ｙ１を選択して駆動信号ＳＭを印加する。
　【００２４】
　この結果、第１行目の行電極Ｘ１と第１列目の列電極Ｙ１の各々に駆動信号ＳＭが印加されその交点の画素Ｅ１，１が駆動せしめられる。
　【００２５】
　次のクロック信号ＣＬＨが列電極選択駆動回路１４のカウンタ１７に加えられると、カウンタ１７が加算方向にインクリメントして第２列目の列電極Ｙ２が列電極選択信号Ｓｒにて選択され駆動信号ＳＭが印加され画素Ｅ１，２が駆動される。このようにして第１行目の行電極Ｘ１と、これと交差する各列電極Ｙｊとの交点の画素Ｅ１，ｊの駆動が第１列から第ｎ列迄、増加する方向（列電極Ｙの増加方向、矢示ＹＵ方向）に行われた後、行電極選択駆動回路１５のカウンタ２４にクロック信号ＣＬＶが加えられると、カウンタ２４が加算方向にインクリメントした後、ＢＣＤデコーダ２５を経て第２行目の行電極Ｘ２を選択すべく行電極選択信号Ｓｃが駆動回路２７に出力され、駆動回路２７は行電極選択信号Ｓｃに基づいて第２行目の行電極Ｘ２に駆動信号ＳＭを加える。
　【００２６】
　第２行目の行電極Ｘ２も第１行目の行電極Ｘ１の場合と同様にして第１列から第ｎ列迄の各列電極Ｙｊに順次、駆動信号ＳＭが印加されて画素Ｅ２，１〜Ｅ２，ｎが駆動せしめられる。このようにして行電極Ｘは、第１行から第ｍ行迄行数が増加する方向（行電極Ｘの増加方向、矢示ＸＵ方向）に順次選択される。又一つの行電極Ｘｉに継続して駆動信号ＳＭが印加されている間、列電極Ｙｊは第１列から第ｎ列迄、列数が増加する方向（矢示ＹＵ方向）に順次選択されて駆動信号ＳＭが印加されることになる。これにより行電極Ｘｉと列電極Ｙｊの交点画素Ｅｉ，ｊが順次駆動される。この間、列電極選択駆動回路１４の駆動回路２３には、ＬＣＤ駆動制御回路１３より出力された原色信号に対応する電圧Ｖ１〜Ｖ３が加えられており、この電圧Ｖ１〜Ｖ３のレベルによって画素Ｅｉ，ｊの駆動時の色相、彩度、輝度が決定される。ＬＣＤ２の全画素Ｅ１，１〜Ｅｍ，ｎを駆動すると、画像Ｐが完成し、以上の処理を連続して繰り返すことで、動画像を実現し得る。
　【００２７】
　これにより、ＬＣＤ２には、前方向（矢示Ｆ方向）における被写体がそのままの状態で表示されることになる。
　【００２８】
　（２）鏡面像ＰＭを表示せしめる場合（図５及び図３に示す鏡面像ＰＭ参照）
　図５に示すように、このカメラ一体型表示装置を、鏡代わりに使用したい場合には、ＬＣＤ２に鏡面像ＰＭを表示せしめる。即ち、図５に示す如く、カメラ８を回動させて（矢示Ｃ方向）操作者Ｏｐｅ自身の側（即ち、後方向、矢示Ｂ方向）に向けると、カメラ８の向きと連動しているカウンタ切換スイッチ２６は、端子２８，３０が接続されてｄｏｗｎカウンタとされる。一方、カウンタ切換スイッチ１８は（１）と同様ｕｐカウンタのままにしておく。これは、カメラ８を操作者Ｏｐｅ自身の側（矢示Ｂ方向）に向けた場合、ＬＣＤ２では、垂直方向（矢示Ｖ方向）、水平方向（矢示Ｈ方向）の双方において反転するため、鏡面像ＰＭを得るには、垂直方向（矢示Ｖ方向）においてのみ反転させれば良いことによるものである。
　【００２９】
　行電極選択駆動回路１５のカウンタ２４は、ｄｏｗｎカウンタなので、カウンタ２４が第１回目のクロック信号ＣＬＶをカウントした時点で第ｍ行目の行電極Ｘｍが行電極選択信号Ｓｃにより選択され、行電極Ｘｍに駆動信号ＳＭが印加される。一方、列電極選択駆動回路１４は、カウンタ１７がｕｐカウンタなので、クロック信号ＣＬＨをカウントすると第１列目の列電極Ｙ１を選択して駆動信号ＳＭを印加する。これにより、第ｍ行目の行電極Ｘｍと第１列目の列電極Ｙ１とが選択され、各々駆動信号ＳＭが印加されて交点の画素Ｅｍ，１が駆動される。
　【００３０】
　そして、列電極選択駆動回路１４のカウンタ１７が次のクロック信号ＣＬＨに基づいて加算方向にインクリメントすると第２列目の列電極Ｙ２が選択され、駆動信号ＳＭが印加される。
　【００３１】
　このようにして第ｍ行目の行電極Ｘｍと、第１列目から第ｎ列に至る各列電極Ｙｊとの全ての交点の画素Ｅｍ，１〜Ｅｍ，ｎの駆動が矢示ＹＵ方向に行われた後、行電極選択駆動回路１５のカウンタ２４にクロック信号ＣＬＶが加えられると、ＢＣＤデコーダ２５を経て行電極選択信号Ｓｃが出力され、駆動回路２７より第ｍ−１行目の行電極Ｘｍ−１が選択されて駆動信号ＳＭが加えられる。
　【００３２】
　第ｍ−１行目の行電極Ｘｍ−１も、第ｍ行目の行電極Ｘｍと同様に、第１列から第ｎ列に向けて列電極Ｙｊが順次、選択されて各画素Ｅｍ−１，ｊを順次駆動する。
　【００３３】
　このようにして、行電極Ｘは第ｍ行から第１行迄、行数が減少する方向（行電極の減少方向、矢示ＸＤ方向）に順次選択され、又一つの行電極Ｘ１に継続して駆動信号ＳＭが印加されている間、列電極Ｙｊは第１列から第ｎ列に向けて列数が増加する方向（矢示ＹＵ方向）に順次選択されることになり、画素Ｅｉ，ｊを順次駆動する。
　【００３４】
　この結果、（１）に既述した順序で表示される画像Ｐが（２）では逆に第ｍ行から第１行にかけて行数の減少する方向に表示され且つ列方向の表示順序は同じであるため、（１）にて表示される画像Ｐを基準とすれば、これを垂直方向に反転させた状態の画像（即ち、鏡面像ＰＭ）が得られる。
　【００３５】
　この実施例によれば、カメラ部１を操作者Ｏｐｅ自身側（後方向）に向けた場合には、画像表示回路３の動作により、ＬＣＤ２に鏡面像ＰＭを表示でき、このカメラ一体型表示装置を鏡として用いることができるものである。又、この実施例では、カメラ部１を用いて鏡面像を得る例について説明しているが、ＶＴＲ再生時、ＴＶ受信時等においても同様に鏡面像を得ることができるものである。
　【００３６】
　尚、この実施例では、画像Ｐの反転を行わない場合と、画像Ｐを垂直方向に反転させた場合のみを説明しているが、カウンタ切換スイッチ１８，２６を操作することにより、以下に述べるように、垂直方向・水平方向の双方に反転して画像Ｐの表示状態を自在に変換できるものである。
　【００３７】
　（３）画像を水平方向に反転させた場合（行電極（ｕｐカウント）〜列電極（ｄｏｗｎカウント））
　この場合には、行電極選択駆動回路１５のカウンタ２４をｕｐカウンタとなし、列電極選択駆動回路１４のカウンタ切換スイッチ１８の端子１９と端子２１を接続しカウンタ１７にＬレベルの電圧を印加してｄｏｗｎカウンタとする。
　【００３８】
　これにより、行電極Ｘは第１行から第ｍ行迄、行数が増加する方向（矢示ＸＵ方向）に順次選択され、又一つの行電極Ｘｉに接続して駆動信号ＳＭが印加されている間、列電極Ｙｊは第ｎ列から第１列に向けて列数が減少する方向（列電極Ｙの減少方向、矢示ＹＤ方向）に順次選択されることになり、行電極Ｘｉと列電極Ｙｊの交点の画素Ｅｉ，ｊが順次駆動される。
　【００３９】
　この結果、（１）に既述した順序で表示される画像Ｐが、（３）では逆に第ｎ列から第１列にかけて列数の減少する方向に順次、表示されるため、（１）にて得られる画像Ｐを基準とすれば、これを水平方向に反転させた状態の画像が得られる。
　【００４０】
　（４）画像を水平方向・垂直方向に反転させた場合（行電極（ｄｏｗｎカウント）〜列電極（ｄｏｗｎカウント））
　この場合には、行・列両電極選択駆動回路１５，１４のカウンタ切換スイッチ１８，２６を操作してカウンタ２４、１７にＬレベルの電圧を印加して共にｄｏｗｎカウンタとする。
　【００４１】
　行・列両電極選択駆動回路１５，１４のカウンタ２４，１７は共にｄｏｗｎカウンタなので、両カウンタ２４，１７が第１回目のクロック信号ＣＬＨ，ＣＬＶをカウントした時点で、行電極Ｘは、第ｍ行目の行電極Ｘｍそして列電極Ｙは、第ｎ列目の列電極Ｙｎが選択され各々駆動信号ＳＭが印加される。
　【００４２】
　このようにして、行電極Ｘは第ｍ行から第１行迄、行数が減少する方向（矢示ＸＤ方向）に順次選択され、又一つの行電極Ｘｉに継続して駆動信号ＳＭが印加されている間、列電極Ｙｊは第ｎ列から第１列に向けて列数が減少する方向（矢示ＹＤ方向）に順次選択されることになり、行電極Ｘｉと列電極Ｙｊの交点の画素Ｅｉ，ｊが順次駆動される。
　【００４３】
　この結果、（４）では第ｍ行から第１行にかけて行数が減少する方向に、又第ｎ列から第１列にかけて列数の減少する方向に画像が順次、表示されるため、（１）にて得られる画像Ｐを基準とすれば、これを垂直・水平両方向に反転させた状態の画像が得られる。
　【００４４】
　尚、この発明は、本実施例のみに限定されるものでなく、単純マトリックス方式、アクティブマトリックス方式、更には二重マトリックス電極駆動方式のいずれにも適用が可能であり、又透過型のＬＣＤにのみ限定されるものではなく、あらゆる型のＬＣＤに適用が可能である。
　【００４５】
　【発明の効果】
　この発明によれば、カメラ部のレンズ部が回転できるので、液晶表示部の画像を見やすい角度から見ることと、撮影方向を所望のものとすることとを両立させることができる。また、表示部の厚み方向の中央部に位置する一軸を中心に撮像部と表示部とが構成されているので、撮像部と表示部とを回転させても、回転角度によって装置全体の大きさが変化することがない。
さらに、回動ツマミを設けているので、回動時に撮像部のレンズに手を触れるそれを少なくできる。
【図面の簡単な説明】
　【図１】
　この発明の一実施例を示す斜視説明図である。
　【図２】
　この一実施例に用いられるＬＣＤと画像表示回路を示すブロック図である。
　【図３】
　画像表示回路における行及び列電極選択駆動回路を示すブロック図である。
　【図４】
　このカメラ一体型表示装置の使用例を示す説明図である。
　【図５】
　このカメラ一体型表示装置の使用例を示す説明図である。
　【符号の説明】
　１：カメラ部、２：ＬＣＤ、３：画像表示回路、５：本体、１０：側面、Ｐ：画像、Ｖ：垂直方向、Ｈ：水平方向